(57)【要約】【課題】  品質の自動的な検出に基づいて、限られた数のページ画像を補正するよう操作者に柔軟な選択肢を提供する。【解決手段】  マルチページ文書の走査及び処理が開示される。走査画像は、本のようなマルチページ文書の一連のページを光学的に走査することにより生成される。走査画像は、例えばデスキューし黒の境界領域を除去することにより、マルチページ文書の元のページに対応するページ画像を生成するために処理される。提案のページ画像を生成した後、テキスト領域座標値（Ｘ１，Ｘ２，Ｘ３，Ｘ４，Ｙ１，Ｙ２）のような、その画像パラメータが文書の統計的な解析に基づく目標基準に従っているかどうかを検出することにより、画像がエラーを含む機会があったかどうかがチェックされる。ページ画像が目標基準を満足している場合、ページ画像が自動的に受け入れられる。しかし、そうでない場合、ページ画像（６５，６６）が表示され、操作者が当該ページ画像を受け入れるか又は調整できるようにする。【選択図】  図６
2006054885.tif 000002
【特許請求の範囲】
【請求項１】
マルチページ文書の一連のページの光学的な走査により走査画像を受信するステップと、マルチページ文書の元のページに対応するページ画像を生成するために前記走査画像を処理するステップとを備える、マルチページ文書処理方法において、
前記走査画像の処理中に得られるマルチページ文書のページ特性に基づいて画像パラメータに対する目標基準を自動的に決定するステップと、
ページのページ特性が目標基準に従っているか否かをチェックするステップとを備え、
従っている場合は、ページ画像を自動的に受け入れ、
そうでない場合は、操作者に対して補正措置のためにページ画像を表示し又はページ画像を受け入れることを特徴とする、マルチページ文書処理方法。
【請求項２】
前記目標基準の決定は、走査画像の処理の間に得られるページ特性に基づいて、少なくとも１つの画像パラメータに対する目標範囲を統計的に決定することを含む、請求項１に記載のマルチページ文書処理方法。
【請求項３】
画像パラメータは、紙サイズ、テキスト領域又は寸法を含む、請求項２に記載のマルチページ文書処理方法。
【請求項４】
前記画像パラメータが目標基準に従っているか否かを検出するステップは、ページ画像を生成するためになされる調整に対する信頼性を指示する信頼性ファクタを算出することを含む、請求項１又は２に記載のマルチページ文書処理方法。
【請求項５】
走査画像を処理するステップは、異なる向きの走査画像から上側が上になるページ画像を生成するためにページの向きを検出することを含む、請求項４に記載のマルチページ文書処理方法。
【請求項６】
ページの向きを検出するステップは、テキストを検出し、テキストの特性を判断し、特別な場合はアセンダーやデセンダーの比を判断し、又は、選択した文字の向きを判断することを含む、請求項５に記載のマルチページ文書処理方法。
【請求項７】
画像パラメータは、テキストラインの向きを含み、走査画像を処理するステップは、テキストラインの向きを検出し、検出したテキストラインの向きに応じて走査画像のスキューを補正することを含む、請求項１〜６の何れかに記載のマルチページ文書処理方法。
【請求項８】
目標基準は、マルチページ文書のページの所定パラメータに対する文書についての先験的知識に依存する、請求項１〜７の何れかに記載のマルチページ文書処理方法。
【請求項９】
走査画像を処理するステップは、マルチページ文書における本の背を検出し、単一の走査画像からの２つのページ画像を生成することを含む、請求項１〜８の何れかに記載のマルチページ文書処理方法。
【請求項１０】
走査画像を処理するステップは、２ページのそれぞれに対して独立的に、テキストラインの向きを検出し、検出したテキストラインの向きに応じて走査画像のスキューを補正することを含む、請求項９に記載のマルチページ文書処理方法。
【請求項１１】
ページ画像の複合セットを構築することを含み、該複合セットは、マルチページ文書におけるページの範囲に対応する論理部分を有する、請求項１に記載のマルチページ文書処理方法。
【請求項１２】
走査画像のサブセットがページ画像の複合セットの論理部分を構成していることを指示するコマンドをユーザから受けることを含む、請求項１１に記載のマルチページ文書処理方法。
【請求項１３】
マルチページ文書を処理するためのコンピュータープログラムであって、
プロセッサをして請求項１〜１２の何れかに記載のマルチページ文書処理方法を実行させるように動作する、コンピュータープログラム。
【請求項１４】
マルチページ文書の一連のページの光学的な走査により走査画像を生成するスキャナユニット（５１）と、
ユーザインターフェースユニット（５４）と、
マルチページ文書の元のページに対応するページ画像を生成するために前記走査画像を処理する画像プロセッサユニット（６１）と、を備える文書処理システムにおいて、
前記走査画像の処理中に得られるマルチページ文書のページ特性に基づいて画像パラメータに対する目標基準を決定し、
ページのページ特性が目標基準に従っているか否かをチェックし、
従っている場合は、ページ画像を自動的に受け入れ、
そうでない場合は、操作者に対して補正措置のためにページ画像を表示し又はユーザインターフェースユニット（５４）を介してページ画像を受け入れるアウトライア検出手段（６２）を備えることを特徴とする、文書処理システム。
【請求項１５】
アウトライア検出手段（６２）は、走査画像の処理の間に得られるページ特性に基づいて、少なくとも１つの画像パラメータに対する目標範囲を統計的に決定することを含む、請求項１４に記載のシステム。
【請求項１６】
画像プロセッサユニット（６１）は、ページ画像の複合セットを構築するように構成され、該複合セットは、マルチページ文書におけるページの範囲に対応する論理部分を有する、請求項１４に記載のシステム。
【請求項１７】
ユーザインターフェースユニット（５４）は、走査画像のサブセットがページ画像の複合セットの論理部分を構成していることを指示するコマンドをユーザから受けるように構成される、請求項１６に記載のシステム。
【請求項１８】
前記がページ画像を印刷するプリンタユニット（１３０）を含む、請求項１４に記載のシステム。
【発明の詳細な説明】
【技術分野】
【０００１】
本発明は、マルチページ文書の一連のページの光学的な走査により走査画像を受信するステップと、マルチページ文書の元のページに対応するページ画像を生成するために前記走査画像を処理するステップとを備える、マルチページ文書処理方法に関する。
【０００２】
本発明は、更に、マルチページ文書を処理するためのコンピュータープログラムに関する。
【０００３】
本発明は、更に、マルチページ文書の一連のページの光学的な走査により走査画像を生成するスキャナユニットと、ローカルインターフェースユニットと、マルチページ文書の元のページに対応するページ画像を生成するために前記走査画像を処理する画像プロセッサユニットと、を備える文書処理システムに関する。
【背景技術】
【０００４】
大規模な文書がアーカイビングのために走査される必要があるとき、文書の全てのページが欠陥なく走査されることが極めて重要であり、というのは、後で走査エラーが検出されたとき、元の文書がもはや入手不能でありうるからである。それ故に、各走査画像の品質をチェックすることは重要である。しかし、各走査画像の品質は、多大な時間と労力を要し、走査作業を実行する個人に多大な負担を強いる。更に、多数の画像をチェックすることは、つまらなく誤りが起き易い。
【０００５】
人間のチェック処理を回避する１つの方法として、各新しい走査画像を自動的にチェックし、可能な場合は、対応する画像処理技術により欠陥のある画像を補正する自動化システムを用いることである。所定の品質基準に準拠しない走査画像は、ここでは“アウトライア”と呼ぶ。
【０００６】
かかる方法は、特許出願ＷＯ９８／０９４２７から知られており、走査又は複写中の品質を保証する構成及び方法を開示する。この方法は、走査されるべきページ（複数も可）を送り入れ、走査画像の品質を一連のステップでチェックするステップを含み、スキュー、２重送り／重なり、形の逸脱、幾何的な変形に関して実行される外部特性のチェック、ページのコンテンツのいわゆる内部品質のチェック、及び情報コンテンツの品質のチェックが含まれる。測定された品質が限界に従っているかそれよりも良い場合、走査画像の自動的な調整が必要に応じて実行され、その後、走査画像は、走査ファイルに付加される。測定された品質が限界より下の場合、操作者は、ｅ−走査のためにページを再供給するように要求される。
【発明の開示】
【発明が解決しようとする課題】
【０００７】
知られたシステムでは、品質チェックは、固定された、事前にプログラムされた品質制限であって、実際の状況に常に一致しているとは限らない品質制限に基づいてなされる。チェック結果が否定的な場合、再走査せざるを得ず、これにより操作者は文書を再供給することを強いられる。しかし、拒絶された走査画像が実際には依然として受容可能であるか、若しくは、小さな調整で受容可能となることができ、再走査が必要でないことを起こりうる。
【０００８】
本発明は、マルチページ文書の元のページに忠実に対応する一連のページ画像を生成するために走査画像を処理しつつ、品質の自動的な検出に基づいて、限られた数のページ画像を補正するよう操作者に柔軟な選択肢を提供する方法及びシステムの提供を目的とする。
【課題を解決するための手段】
【０００９】
本発明の第１の局面によると、上記の目的は、冒頭部の段落で記載されるような方法であって、前記走査画像の処理中に得られるマルチページ文書のページ特性に基づいて画像パラメータに対する目標基準を自動的に決定するステップと、ページのページ特性が目標基準に従っているか否かをチェックするステップとを備え、従っている場合は、ページ画像を自動的に受け入れ、そうでない場合は、操作者に対して補正措置のためにページ画像を表示し又はページ画像を受け入れることを特徴とする方法により達成される。
【００１０】
本発明の第２の局面によると、上記の目的は、本方法を実行するためのコンピュータープログラムにより達成される。
【００１１】
本発明の第３の局面によると、上記の目的は、冒頭部の段落で記載されるような文書処理システムであって、前記走査画像の処理中に得られるマルチページ文書のページ特性に基づいて画像パラメータに対する目標基準を決定し、ページのページ特性が目標基準に従っているか否かをチェックし、従っている場合は、ページ画像を自動的に受け入れ、そうでない場合は、操作者に対して補正措置のためにページ画像を表示し又はユーザインターフェースユニットを介してページ画像を受け入れるアウトライア検出手段を備えることを特徴とする、文書処理システムにより達成される。
上記の方策は以下の作用を有する。走査画像の処理は、検出されたページ特性に基づいたページ画像を生む。ページ画像において走査処理の種々の作用が走査画像の処理ステップにおいて補償され又は補正されてもよい。ページ特性及び補正は、マルチページ文書の統計的特性自体に基づいてセットされる目標基準に比較される。従って、ページ画像の品質は、文書の特性に対して測定され、次いで、ページ画像は、提案された処理ページ画像が目標基準から有意に逸脱している場合に、アウトライアと看做される。提案されたページ画像は、表示され、操作者は、これを受け入れ、又は、補正措置でページ画像を調整又は補正、再走査、又は拒絶してよい。これは、走査画像の大部分は自動的に処理される一方で、操作者には、限られた数のアウトライアだけを確かめるように要求がなされるという効果を有する。更に、操作者は、受容可能であるか又は依然として調整できる画像の拒絶を防止することができる。
【００１２】
特に、目標基準は、文書のグローバルな特性に調整され、実際の走査されるマルチページ文書の特性が考慮される。これは、アウトライアの検出を効果的に改善し、誤ってアウトライアとしてクラス分けされる正確なページの数を効果的に低減する。アウトライアは、有意な逸脱が目標基準から検出された場合に検出され、そのときだけ、提案される画像が、認証又は補正のために操作者に提示される。従って、ページ画像の最終セットにおける誤りは、選択的な検査及び補正により効率的に防止される。
【００１３】
本方法の一実施例において、目標基準を決定する方法は、走査画像の処理の間に得られるページ特性に基づいて、少なくとも１つの画像パラメータに対する目標範囲を統計的に決定することを含む。これは、期待値の目標範囲が、マルチページ文書の走査画像の特性に基づいて統計的に決定又は調整される効果を有する。
【００１４】
一実施例では、画像パラメータは、ページサイズ、テキスト領域位置又は寸法を含む。かかるパラメータは、通常的には、本や雑誌のようなマルチページ文書を通して一定である。検出された紙サイズのような画像パラメータが、期待値の目標範囲外であるかの検出に基づいて、アウトライアが検出され操作者に対して表示される。
【００１５】
本方法の一実施例において、前記画像パラメータが目標基準に従っているか否かを検出するステップは、ページ画像を生成するためになされる調整に対する信頼性を指示する信頼性ファクタを算出することを含む。信頼度は、デスキュー又は回転のような処理ステップに対して算出され、例えば、処理中、提案されるページ画像の結果が不明確なデータに起因して信頼性が無いと検出される。従って、目標基準は、信頼性の最低レベルを含んでよい。
【００１６】
一実施例では、期待値は、マルチページ文書のページの所定パラメータに対する文書についての先験的知識を含む。先験的知識は、マルチページ文書からの統計的なデータで検証され又は結合されてもよい。文書の一般的な特性は、文字は水平ラインで配列されているといったように、一般的に予測されるものである。また、日本語文書に対して垂直ラインといったように、所定のセットのパラメータが、適切な文書に対して適用され又は選択されてよい。先験的知識を用いることで、アウトライアは、通常の文書特性から逸脱しているので、容易に検出できるようになる。
【００１７】
一実施例では、所定パラメータは、テキストラインの向きを含み、走査画像を処理するステップは、テキストラインの向きを検出し、検出したテキストラインの向きに応じて走査画像のスキューを補正することを含む。これは、走査中の通常的なエラー、即ちスキャナユニット上の元の画像の傾斜した位置を、容易に補正することができるという効果がある。
【００１８】
一実施例では、本方法は、ページ画像の複合セットを構築することを含み、該複合セットは、マルチページ文書におけるページの範囲に対応する論理部分を有する。これは、元の文書の論理的な副次的な分割、例えば本における章が、ページ画像の複合セット内で維持されることができるという効果を有する。特定の実施例では、本方法は、走査画像のサブセットがページ画像の複合セットの論理部分を構成することを指示するコマンドをユーザから受けることを含む。これにより、操作者は、走査中、元の文書のページの整合のとれた範囲が、開始及び／又は完了されるときに、容易にコマンドを入力することができる。
【００１９】
更に、本発明による装置の好ましい実施例が、添付の請求項に付与され、そこでの開示は、ここでの参照により本明細書に組み込まれる。
【発明を実施するための最良の形態】
【００２０】
本発明のこれら及び他の局面は、添付の図面を参照すると共に、次の説明における例により説明される実施例を参照することで、明らかになり且つ更に教示されることになる。図は、スケースどおりに描かれていない。図において、既に技術した要素と対応する要素には同一の参照符号が付与される。
【００２１】
図１は、文書を処理するための装置を示し、そこでは、異なる部分は概略的に別々に示される。文書は、通常的には紙の文書であるが、例えばＯＨＰシート、本、図面等、情報を運ぶ如何なるタイプのシートを含んでよい。文書処理装置１は、スキャナのみであってよいが、好ましくは、例えば多用途複写機のような、印刷、複写又はファックス機能を含む多機能装置である。スキャナユニット１２０は、元の文書を載置できるグラスプラテン、ＣＣＤアレイ、及び、ＣＣＤアレイ上に文書を撮像する可動ミラー及びレンズを有するイメージングユニットを備える平らなベッドスキャナを含む。この状況では、ＣＣＤアレイは、とりわけ知られた態様でデジタル画像データに変換される電気信号を生成する。文書フィーダ１１０は、文書のスタックの導入用の入力トレイ１１１、スキャナユニット１２０に沿って一枚ずつ文書を搬送するための搬送機構（図示せず）、及び、走査後に文書が配置される送出トレイ１１２を備えてよい。
【００２２】
走査されるべきマルチページ文書は、適切なときに文書フィーダを介して入力されることができる。例えば、文書や雑誌は、プラテン上に手動で入力される。更なる走査補助、例えば本の自動的なページの回転が備えられてよい。
【００２３】
装置は、例えばとりわけ知られている電子写真処理セクションを含む、プリンタユニット１３０を有してよく、その場合、光伝導媒体が、デジタル画像データによりＬＥＤアレイを介して晒され、チャージされ、その後、トナー画像が転写され、画像支持体上、通常的には紙のシートに固定される。異なるフォーマット及び向きの画像支持体のストックが、供給セクション１４０において利用可能である。トナー画像を備える画像支持体は、仕上げ及び送出セクション１５０まで移送され、このセクションは、必要な場合はそれらをセットにまとめ、ホッチキス止めをし、送出トレイ１５１内にそれらを堆積させる。
【００２４】
装置の制御ユニットは、参照符号１７０により概略的に示される。本発明による走査画像の処理機能は、図５を参照して以下で詳説される。ケーブル１７１は、ローカルネットワークに制御ユニット１７０を接続してよい。ネットワークは、優先であってよいが、部分的又は完全に無線であってもよい。
【００２５】
装置は、例えば、装置上にその操作のために設けられる操作者制御パネルを含めて、ユーザインターフェース１６０を有する。ユーザインターフェースは、ディスプレイ１６１及びキーを備える。文書処理を制御するためのディスプレイの動作が、以下で説明される。
【００２６】
本発明による文書処理システムにおいて、走査は、別の装置で実行されてよく、後述の画像処理は、例えばユーザワークステーションのような、ディスプレイ及び操作者インターフェースを有するプロセッサユニットで実行されてよい。プロセッサは、専用のハードウェアユニットとして構築されてよく、又は、以下で説明する画像処理及び補正機能を実現する標準的な処理ユニット及びソフトウェアプログラムを含んでよい。
【００２７】
図２は、マルチページ文書の走査方法を示す。第１の段階では、本方法は、ステップＳＣＡＮ２２においてマルチページ文書を光学的に走査することで、ＳＴＡＲＴ２１にて開始される。走査は、完全な文書に対して、又は、部分的な文書に対して実行されてもよい。各走査動作に対して、走査画像は、スキャナ上に新しい元のページを置き、又は、本に対して、スキャナユニットのプラテン上に双方のページを置くことにより、生成される。２ページを含む走査画像は、２連（デュアル）走査画像と称される。特別な場合、走査画像は、ページ画像を分離するために自動的に処理されるより多数のサブ画像を含んでよい。走査画像は、直接処理され又は中間ファイルとして記憶されてよく、又は、例えば生のソース材料も維持するために、最終ファイルに含められてもよい。
【００２８】
次のステップＰＲＯＣ２３では、走査画像は、マルチページ文書の一連のページの走査からの走査画像が受信及び処理され、マルチページ文書の元のページに対応するページ画像が生成される。各走査画像に対して、多数の処理ステップが、ページ画像、又は、２連走査画像の場合は２つのページ画像を取り出すために実行される。ページ画像は、元のページの表現であり、即ち、走査画像により提供される走査データの処理バージョンである。走査画像をページ画像に処理する幾つかの例が以下で説明される。
【００２９】
本発明によれば、ステップＰＲＯＣ２３の処理の間、統計的な情報ＳＴＡＴ２０が収集され、当該統計的情報は、走査画像の処理の間に得られるマルチページ文書のページ特性に基づいて画像パラメータに対する目標基準を決定するために用いられる。例えば、紙サイズ、テキスト領域寸法及びコントラストのような特性に対する期待値が、決定されてもよい。目標基準は、例えば平均、中央値、分散に基づく公差のような、統計的に決定された特性に基づく所定の画像パラメータに対する期待値及び公差である。
【００３０】
尚、統計的なパラメータが信頼性の高い態様で決定されるように少なくとも多数のページが先ず処理される必要がある。従って、マルチページ文書の初期部分（少なくとも２，３ページであるが、好ましくは、文書の本質的な部分又は文書全体までも）は、利用可能（即ち、走査及び記憶される）である必要があり、後述するアウトライア検出が開始されるまで、処理される。その結果、マルチページ文書の初期部分が１０ページを含み、例えば第１又は第２の走査画像がアウトライアであると分かった場合、１０ページの遅れが提示される。初期部分が処理された後、更なる走査画像が、遅れ無しでアウトライアに対して試験されてよい。初期的に決定された統計的なパラメータは、文書の残りの部分の処理の間に精密化されてもよい。或いは、完全なマルチページ文書が、走査され記憶されてよく、走査画像の完全なセットが、統計的なパラメータを決定するために初期実行として処理されてよく、２番目の実行でアウトライアが、完全な文書の統計値に基づいて検出される。
【００３１】
処理ステップ２３は、ステップＰＲＯＰ２４において、検出された画像パラメータに基づいて、強化又は補正処理機能により、提案されたページ画像を生成する。かかる処理機能の幾つかの例が以下で説明される。
【００３２】
次のステップＯＵＴＬＩＥＲ２５では、ページ画像がアウトライアであるか否か、即ち、画像ページが、統計的な情報２０に基づく目標基準から有意に逸脱する特性又は画像パラメータを有するか否かが決定される。ページ画像は、画像パラメータが目標基準外であるかどうかを決定することによって評価される。
【００３３】
ページ画像がアウトライアでない場合、処理は、ページ画像を自動的に受け入れることでステップＳＴＯＲＥ２６にて継続される。しかし、ページ画像がアウトライアであると検出された場合、処理は、次の通り、操作者との対話により継続される。ステップＤＩＳＰＬＡＹ３０では、ページ画像が操作者に対して表示される。従って、操作者は、提案されたページ画像を可視的に検査することができる。結果が受容可能でない場合、ページ画像の処理が、ステップＡＤＪＵＳＴ３２で人手により調整されることができる。例えば、間違ったテキスト領域が提案された場合、元のテキストのエッジを含む走査画像の部分が、切り捨てられ、操作者は、提案されたページ画像のテキスト領域の境界を調整してもよい。続いて、調整され又は受け入れられたページ画像が、ステップＳＴＯＲＥ２６において保存される。
【００３４】
最後に、利用可能な走査画像が、ステップＮＥＸＴＩＭＡＧＥ２７において検出されるように処理され、更なるページ又は文書部分が、ステップＮＥＸＴＳＣＡＮ２８で検出されるように走査される必要がない場合、結果として得られるページ画像は、ステップＣＯＭＢＩＮＥ２９において元のマルチページ文書のマルチページデジタル出力文書に結合され、例えばファイルに保存される。尚、ステップＮＥＸＴＳＣＡＮ２８は、処理がバッチ追求型であり、処理が開始される前に完全な文書が走査されることを要求する場合は、省略されてもよい。処理は、ＥＮＤ３３にて出力文書ファイルを送出することで終了される。
【００３５】
本方法の一実施例では、ステップＰＲＯＣ２３における画像パラメータに対する統計的な値を決定するステップは、次を含む。ページエッジ検出器は、走査における最も強いエッジを検出し、ページ面積に最も近くなる境界ボックスを形成する４つのエッジを選択する。個々のページに対して検出される紙サイズに関連するパラメータ及び特性は、統計的に解析され、例えば平均化され、元のページの最終的な紙サイズ特徴が推定される。続いて、パラメータ又は特性に対する期待値が、マルチページ文書の更なるページと比較される紙サイズ基準として記憶される。
【００３６】
一実施例では、目標基準は、走査画像の処理中に得られるページ特性に基づく画像パラメータの少なくとも１つに対する目標範囲を含む。例えば、画像パラメータは、テキスト領域位置を含んでよい。テキスト領域パラメータは、通常的には、マルチページ文書に対する範囲内で一定である。また、ページヘッダー、フッターの位置や、ページのシーケンス又は章番号のような、より詳細な特徴が、期待値として、別々に検出され記憶されてもよい。従って、失われたページが検出される場合がある。
【００３７】
走査画像の統計的に解析された特性に基づく期待値に加えて、ステップＰＲＯＣ２３における処理は、文書についての先験的知識を含んでよく、即ち、マルチページ文書のページの所定のパラメータ又は特性が存在すると仮定される。例えば、多くの走査画像は、
Ａ４やＬｅｔｔｅｒのような、標準的な紙サイズを有する。所定のパラメータの実際例は、テキストラインの向きであり、即ち、テキストは、紙のエッジに平行な方向に直線で整列されるという仮想であり、直立の文字が水平ラインで配列されていると考えられる。従って、テキストラインの検出された角度から、元のページが斜めの位置で走査され、テキストラインが水平になるまで、即ちいわゆるスキューがゼロになるまで、回転される必要があることが、想定される。続いて、走査画像の処理は、テキストラインの向きを検出し、検出したテキストラインの向きに応じて走査画像のスキューを補正することを含む。
【００３８】
本方法の更なる実施例は、走査画像における多数の元のページ、特に本又は雑誌の２連走査画像における２ページを扱うことを可能とする。従って、２連走査画像は、マルチページ文書の背（スパイン）及び背の両側に位置するページを含む。
【００３９】
図３は、本の走査画像の一例を示す。走査画像は、本の２ページ３５，３６の２連走査画像である。ページは、３００ＤＰＩ（インチあたりのドット数）で、２５６のグレーレベルで走査されているが、図では解像度が低減されている。ページ間のライン、いわゆるマルチページ文書の背３７は、両ページを分離するために検出される。テキスト領域３９は、各ページに関して利用可能であるが、絵を含むために用いられていてもよく、又は、幾つかのページでは不使用、即ち白であってもよい。紙サイズは、ページ３５，３６の白の領域の境界から検出されてよい。本の背に隠れる紙の量は、本を位置づける方法に起因して変化されてよい。かかる変化量は、左右の両エッジで適切なページ余白を有するもとのページを再構成することによって、例えば本の背に依存せずにテキスト領域３９を中心合わせすることによって、補償されてもよい。
【００４０】
図２に示すような本方法において、ステップＰＲＯＣ２３の走査画像の処理は、マルチページ文書の背を検出し、単一の走査画像から２つのページ画像を生成することを含んでよい。元の画像の検出は、例えば、テキストラインの向きとの組み合わせでの検出された紙サイズ、及び／又は、背の存在、平行な文字領域に基づいて、自動的でであってよい。或いは、操作者は、背タイプのマルチページ文書が走査及び処理されるべきことを指示するコマンドを入力してもよい。
【００４１】
ステップＰＲＯＣ２３の一実施例では、２連走査画像の処理は、当該２ページのそれぞれに対して独立的に、テキストラインの向きを検出することを含む。双方のページの傾斜角度は、本を位置づける方法に起因して異なり得る。従って、検出されたテキストラインの向きに依存して２連走査画像の双方の部分のスキューを検出し補正することによって、双方の画像は、ゼロのスキューを有するように個々に処理される。
【００４２】
マルチページ文書の更なる特性は、各ページが正確で、いわゆる直立の向きを有することである。しかし、走査中、マルチページ文書は、上側を下又は横向きであってよい。処理中に、走査画像に関する元のページの向きが検出されてよく、上側が上のページ画像が、適切な回転により、異なる態様で方向付けられた走査画像から生成される。ページの向きは、上部又は底部の余白、ページ番号等のようなページレイアウト特性により検出されてもよい。特定の例では、ページの向きを検出することは、文字を検出し、文字の特性を判断することに基づく。
【００４３】
図４は、向き、特に上下逆を検出するための文字の特性を示す。テキスト断片４０が解析され、底部のベースライン４２の下方まで延在する文字がデセンダー４４と呼ばれ、上部のベースライン４４の上方まで延在する文字がアセンダー４３と呼ばれる。一般的に、デセンダー及びアセンダーに対して比があり、例えば、ラテン言語に対しては、ある一定の比が予測される。かかる先験的知識は、初期値として用いられてよい。特定の文書に対する比は、走査画像の処理中に統計的に決定され又は調整されてもよい。目標比が適用され、文書ビットマップ（走査画像内のページ領域）が上下逆又は真っ直ぐかが検出され、検出した向きの信頼性が算出される。各文字は、アセンダー、デセンダー又は何もなしと分類される。例えば、完全なページに対するアセンダーとデセンダーの比が目標比に近い場合、ページは真っ直ぐであったことになる。当該比が目標比の逆数に近い場合、ページは上下逆であり、１８０度の回転が実行されページが補正される。（補正された）ページの比が目標比から有意に逸脱している場合、アウトライアが検出される。
【００４４】
文字の他の特性も、文字の向きを検出するために用いられてよい。例えば、文字ｉのような、選択した文字の向きの決定が、文字の向きのパラメータを提供する。
【００４５】
図２に示すように本方法におけるステップＯＵＴＬＩＥＲ２５は、画像パラメータが目標範囲外であるか否かを検出するためのものである。目標範囲は、次のような信頼性基準を含んでよい。ステップＰＲＯＣ２３における種々の補正及び調整の処理の間、ページ画像を生成するためになされた調整が正確であることの信頼性を指示する信頼性ファクタが計算される。例えば、ページ上のテキストラインの量は非常に少なくてもよい。従って、検出されるようなテキストラインの向きや文字特徴は、信頼性が低くなりえ、信頼性ファクタは低くなる。また、検出されるような紙エッジは、例えばプラテン上で完全に平らに処理されない元のマルチページ文書の紙に起因して、グレー領域を示しうる。従って、検出される紙エッジ近傍のグレーピクチャ要素（ピクセル）の存在から、紙エッジ又は向きの低い信頼性が想定され、低い信頼性ファクタが算出される。
【００４６】
図５は、文書処理システムの構成部分の図である。文書処理システム５０は、マルチページ文書５８の一連のページの光学的な走査から走査画像を生成するスキャナユニット５１を有する。スキャナユニットは、走査及び処理装置の部分であってよく、又は、別のスキャナ装置であってもよい。文書処理システム５０は、スキャナユニット５１に接続される制御ユニット５２、ローカルメモリ５７、及び、ディスプレイ５５、キーのようなユーザコマンド要素５６、カーソルを介したメニューコントロール、タッチセクション等を含むユーザインターフェース５４を含む。メモリは、固体記憶装置、磁気ディスク等であってよい。プロセッサユニットは、走査画像の取り込みを制御する走査制御ユニット６０、ユーザインターフェース５４を介して操作者と通信するユーザインターフェース制御ユニット６３、及び、処理されて画像特徴の期待された目標範囲内であることがチェックされたページ画像及び選択的に操作者により調整されたページ画像を含む出力文書５９を生成するアウトライア検出ユニット６２及び画像プロセッサユニット６１を含む。
【００４７】
画像プロセッサユニット６１は、マルチページ文書の元のページに対応するページ画像を生成するために走査画像を処理する。アウトライア検出ユニット６２は、画像パラメータが期待値の目標範囲外であるか否かを判断することによりページ画像がアウトライアであるか否かを検出する。続いて、アウトライア検出ユニットは、ページ画像がアウトライアでない場合は自動的にページ画像を受け入れる。ページ画像がアウトライアである場合、ページ画像は、ディスプレイ５５上に表示され、操作者が、ユーザインターフェースユニット５４上のユーザコマンド要素５６を介してページ画像を受け入れ又は調整できるようにする。
【００４８】
システム５０において、画像処理ユニットは、先験的知識を用いてよく、又は、上述のような画像パラメータに対して期待値を算出するように構成されてもよい。特に、期待値は、平均紙サイズのような、走査画像の処理中に得られるページ特性に基づくものであってよい。システム５０は、出力文書５９におけるページ画像の複合セットを構築するように構成されてもよい。複合セットは、例えば章や付録のような、マルチページ文書のページ範囲に対応する論理部分の構造を有する。ローカルユーザインターフェースユニット５４は、走査画像のサブセットがページ画像の複合セットの論理部分を構成することを指示するためのコマンドをユーザから受信するために、インポートボタンのような制御可能な要素を有する。一実施例では、システムは、ページ画像又は他の要求された印刷ジョブを印刷するためのプリンタユニット（図示せず）を含む。
【００４９】
実用的な実施例では、出力文書を生成するためのワークフローは、次の通りである。本のようなマルチページ文書は、コンマで区切られたテキストファイルの形式でテーブル及び走査画像を含むディレクトリで開始される。テーブルは、一連の走査画像に対する制御データを提供し、各ラインは、幾つかのフィールド、即ち、画像のタイプ、カラー又は白黒、左ページのページ番号、右ページのページ番号、及び、両ページを含む走査画像のファイル名を有する。次の反復的なステップは、走査画像を処理するために実行される。即ち、各画像をデスキュー（傾きをなくし）し、局所的に適応的な閾値（バイレベル）画像とグレーレベル画像の双方を保存し、走査画像上の紙エッジ及び本の背を探し、左右双方のページのテキスト領域を見つけ、例えば向きやテキスト領域選択において考えられる誤りのような、範囲外のパラメータを検出し、誤りを補正するためにユーザインターフェースをポップアップし、元のマルチページ文書の紙領域でない黒／グレー領域を削除して走査画像からページ画像を切り出し、ＰＤＦ（Ｐｏｒｔａｂｌｅ  Ｄｏｃｕｍｅｎｔ  Ｆｏｒｍａｔ）やＨＴＭＬ（Ｈｙｐｅｒｔｅｘｔ  Ｍａｒｋｕｐ  Ｌａｎｇｕａｇｅ）のような広く知られた発行フォーマットで、ファイルを最終的に生成する。
【００５０】
デスキュープロセスに対しては、例えば“Ｄｉｇｉｔａｌ  Ｉｍａｇｅ  Ｐｒｏｃｅｓｓｉｎｇ，ｐａｇｅ  １１５，Ｗ．Ｎｉｂｌａｃｋ，Ｐｒｅｎｔｉｃｅ  Ｈａｌｌ  １９８６”に記載されるＮｉｂｌａｃｋ法でバイレベル画像が生成される。Ｎｉｂｌａｃｋによる二値化アルゴリズムは、ローカル適応法である。サイズ（ｎ＊ｎ）のウインドウに対して、平均及び標準偏差（ｓｔｄｅｖ）が算出される。ウインドウサイズ（ｎ）は、例えば３１にセットされてよい。テキストが背景よりも暗い場合、次の公式が、中心ピクセルに対する閾値を算出するために用いられる。閾値＝平均（ｗｉｎｄｏｗ）−０．１８＊ｓｔｄｅｖ（ｗｉｎｄｏｗ）。このアルゴリズムは、悪い照明に起因して、又は、元のエージングに起因して、画像がディザをかけられるべきでなく又は低コントラストを有するべきときに非常に有用である。背景が文字よりも暗い場合、−０．１８係数は＋０．１８にされなければならない。バイレベル画像は、テキストライン又は紙エッジのような、走査画像における要素の角度を検出するために用いられる。バイレベル画像は、ＯＣＲ及びテキスト領域位置に対しても用いられてよい。
【００５１】
比較的小さな角度（例えば３０度まで）をデスキューするための種々の方法は、画像処理において通常的に用いられ、角度のヒストグラムを算出する。明らかなピークの欠如のような、ヒストグラムの品質は、提案された角度が信頼性のないときを指示しうる。信頼性パラメータは、アウトライア検出のために導出され又は用いられてもよい。尚、デスキューされたページは、上下逆であってよく、これは初期のスキュー検出アルゴリズムでは分からない。改善は、前の走査画像を用いることで、例えば、追加的なルールの実行により達成できる。即ち、ヒストグラムの品質があまりに低い場合、当該ページを前のページと同一に回転させる。品質が低いままの場合、アウトライアが検出され、走査結果が操作者に対して判断のために表示される。
【００５２】
デスキュー処理の一部として、図４を参照して上述したように、ページの向きが検出される。走査画像に関する個々のページ又は走査画像の９０度又は１８０度を越える回転は、元のマルチページ文書を異なる態様で位置付けることを補償するため、ページ画像の直立の向きを達成するために必要とされる。ある場合には、ページは、個々にデスキューされる必要があり、又は、異なる向きを有してよい。しかし、デスキュー処理は、走査画像が数字のペンストロークのような分散した要素を含む場合には、失敗しうる。アウトライア検出に対して用いられるべき信頼性ファクタは、デスキュー処理中に生成される角度指示値のスペクトルから算出されてもよい。
【００５３】
紙のエッジ及び本の背を検出することは次のように実行されてもよい。第１のステップは、９×９カーネルを用いて、形態学的フィルタ、クロージング動作（エロージョンが後続する膨張により小さな開口を埋める基本的な画像処理）により文字を除去することである。次いで、Ｓｏｂｅｌフィルタが、当該画像に関して用いられ（ｎ×ｎカーネルでピクセル間の差に基づく導関数計算）、白と黒の領域間の境界にて強い成分を有する画像の近似導関数を生む。次に、固定された閾値が画像に適用され、二値の候補ブックエッジを生む。形態学的フィルタは、たいていの文字を除去し、それ故に誤りのエッジを除去するが、本に存在する数字は、依然として、誤ったブックエッジ候補を生成することになる。これらの候補は、例えば次の８接続成分に関するルールのような、一掃（クリーンナップ）ルールを適用することによって除去される。対象の範囲が全体面積の５分の１より大きく、アスペクト比が１０より小さい場合、対照は、紙エッジ又は本の背に対する誤りの候補であり、除去される。かかるルールは、‘太った（ｂｌｏｂｂｙ）’対象を除去し、細長い形状又はアウトラインの部分を維持する。
【００５４】
一般的に、最終的な画像は、ブックエッジ近傍及び本の背の近傍に多数のラインのみを含む。これらのラインを位置決めするため、Ｈｏｕｇｈ変換が算出され、次の通り角度ドメインで画像を表す。直線が、角度のスペクトルを構築するために用いられ、次の形式、即ちρ＝ｘｓｉｎ（θ）＋ｙｃｏｓ（θ）でパラメータ化される。ここで、ρは、原点からの垂直距離であり、θは法線との角度である。共線ポイント（ｘｉ，ｙｊ）、ｉ＝１，．．．Ｎ，は、点（ρ，θ）において交わる（ρ，θ）平面内のＮ個の正弦波曲線へと変換される。Ｈｏｕｇｈ面では、例えば、θ＝０°近くの１０個の最大値が、１０個の垂直エッジ候補を与え、θ＝９０°近くの２０個の最大値が、２０個の水平エッジ候補を与える。本の背のエッジも検出されなければならないので、より多くの水平候補が選択される。このラインセットから、期待される本サイズに近いサイズの外径を形成する４つが選択される。水平ラインのセットからは、選択された上部及び底部のブックエッジの中間部に近くなる候補が、本の背として選択される。それに基づいて２つのページが切り出され、更に処理される。適切なラインが選択されない場合、又は、提案された切り出しページが、ページサイズの目標範囲から非常に大きく逸脱する場合、アウトライアが検出され、更なる処理のために操作者に提示される。
【００５５】
紙領域及び中間部を探す新規な方法は、紙の白さに基づくものである。グレーのデスキューされた画像が入力として用いられ、先ず、文字対象が、クロージング動作により除去される。結果は、ｉｓｏｄａｔａアルゴリズムにより閾値処理され、例えば次のような二値画像が生成される。
【００５６】
閾値を選択するための反復技術が、Ｔ．Ｗ．ＲｉｄｌｅｒとＳ．Ｃａｌｖａｒｄにより“Ｐｉｃｔｕｒｅ  Ｔｈｒｅｓｈｏｌｄｉｎｇ  Ｕｓｉｎｇ  ａｎ  Ｉｔｅｒａｔｉｖ  ［ｓｉｃ］  Ｓｅｌｅｃｔｉｏｎ  Ｍｅｔｈｏｄ，  ＩＥＥＥ  Ｔｒａｎｓａｃｔｉｏｎｓ  ｏｎ  Ｓｙｓｔｅｍｓ，  Ｍａｎ  ａｎｄ  Ｃｙｂｅｒｎｅｔｉｃｓ，  Ｖｏｌｕｍｅ  ＳＭＣ−８，  Ｎｏ．８，  ｐｐ．６３０−２，  Ａｕｇｕｓｔ  １９７８”に記載されている。ヒストグラムは、最大のダイナミックレンジの半分、ｔ＝２Ｂ−１のような初期の閾値ｔを用いて２つの部分へと初期的にセグメント化される。最前面のピクセル（ｍｆ）に関連するグレー値のサンプル平均、及び、バックグラウンドのピクセル（ｍｂｋｇ）に関連するグレー値のサンプル平均が算出される。新たな閾値ｔは、今度は、２つのサンプル平均の平均として算出される。処理が、新たな閾値に基づいて、閾値がもはや変化しなくなるまで繰り返される。
【００５７】
次いで、二値画像に存在する対象は、ラベル付けされ、最も大きいものが選択される。最も大きい対象が、ある閾値よりも小さい場合、２番目に大きい対象も選択される。そして、全ての選択された対象が新しい画像に複写される。二値の対象のエッジでのスパーが、形態学的なオープニングにより除去され、クロージングが穴を埋める。結果の画像は一般的に唯一の対象を含み、そのバウンディングボックスが測定され、本の紙エッジとして用いられる。ギャプが最終的な紙領域マスク内に現れうるが（例えば除去されないピクチャに起因して）、対象のバウンディングボックスに悪影響を及ぼさない。
【００５８】
次のステップでは、本の中心（本の背の位置）が決定される。２つの画像、即ち、上述の如くｉｓｏｄａｔａ閾値処理された入力画像、及び、例えば１１×１１パターンを用いて閉じられ３×３Ｓｏｂｅｌフィルタによりフィルタ処理された、クロージングによる処理画像が、この目的のために用いられる。そして、本の中心に対する幾つかの候補が、ｉｓｏｄａｔａ閾値処理された画像においてピクセル遷移（黒から白、又はその逆）の回数が２５より下回る縦列（カラム）を見出すことにより、算出される。これらの候補に対して、Ｓｏｂｅｌフィルタがかけられた画像の１縦列におけるピクセルの最大積算値を見出すことにより、中心が選択される。
【００５９】
尚、このステップはデスキューされた元が必要であるので、このステップ（特に本の中心検索）は、デスキューが失敗している場合は失敗することになる。従って、このステップに対する信頼性ファクタは、デスキューステップのパラメータに依存してもよい。信頼性ファクタは、処理された画像がアウトライアであり操作者の承認又は調整が必要であるかどうかを検出するために適用される。
【００６０】
処理中、走査画像上のテキスト領域位置が判断されてもよい。この段落は、本のページのテキスト領域を位置決めするために必要とされるステップを説明する。算出された値は、黒の境界の無い走査画像からページ画像を切り出すために用いられ、又は、ＯＣＲ又はページ数認識をガイドするために用いられる。基本的なアルゴリズムは、縦列と横列の遷移の数を用いるだけである。品質の改善は、レイアウト解析アルゴリズムを用いることによってなすことができる。入力画像は、白黒のデスキューされた画像であり、上述のデスキューステップで生成される。
【００６１】
図６は、テキスト領域位置を検出する結果を示す。本図は、走査画像６７と、テキスト領域位置を含む６つの画像パラメータとを示し、それぞれのパラメータＸ１，Ｘ２，Ｘ３，Ｘ４，Ｙ１，Ｙ２は、テキスト領域の提案された境界を指示する。２つのテキスト領域６５，６６は、６つの座標値により定義され、この場合、左のテキスト領域６５と右のテキスト領域６６のｙ座標Ｙ１，Ｙ２は、図に示すように等しい。走査画像の上部から始まり、各横列での遷移数が算出される。この数が１５を越えるとき、テキスト領域のＹ１が見出される。Ｙ２に対しては、同一方法が用いられる。両ページのテキスト領域の左右の境界を見つけることは、より困難でありうる。これは、ページが数行（ライン）のテキストだけを含みうるという事実により起こる。左から５より多い遷移の最初の発生が、Ｘ１を定義する。位置Ｘ４は、右から開始して３０ピクセルより多く左に寄った位置で２５遷移より多く、縦列における１５より多い遷移の最初の発生により位置特定される。位置Ｘ２は、１０ピクセルより多く右に寄った位置で５より少ない遷移となる、最初の５より少ない遷移で位置特定される。探索は、走査画像の幅の１／４で右に向かって開始される。位置Ｘ３は、１０ピクセルより多く左に寄った位置で５より少ない遷移となる、５より少ない遷移の最初の発生により位置特定される。探索は、走査画像の幅の３／４にて左に向かって開始される。単純明快なアプローチに起因して、このステップは誤りを有しうる。少なくともデスキューされた画像及び幾らかのテキストがページ上に必要とされる。幾つかの通常的な誤りは、Ｘ１，Ｘ２，Ｘ３又はＸ４が、幾らかのテキストを通ってカットし、Ｘ２とＸ３の間のページ番号が切り出されること、又は、空ページにより引き起こされる作用である。誤り検出ステップは、かかるエラーの可能性を指示するパラメータを算出することによって、結果がアウトライアと看做されるべきかどうかを検出する。例えば、空のページが検出されることができる。Ｘ２とＸ３の間のスペース内の対象が検出された場合、Ｘ２又はＸ３ラインは、問題を解決するように対応して移動されてよく、又は、結果が、操作者に対して表示されるべきアウトライアとしてクラス分けされてもよい。
【００６２】
アウトライア検出ユニットにおいて、誤り検出ステップは、例えばヒストグラム品質に基づく信頼性ファクタに基づいて、先行する処理ステップの誤りの尤度を算出する。紙の幅、ある領域（テキスト又は数字）のスペクトル特性、角度のような異なるドメインの品質、対象のサイズ、色、白色度又はコントラスト等の、種々のパラメータがアウトライアを検出するために用いられてよい。アウトライア検出ユニットは、ページ画像の追加的な特性を判断してもよく、例えば、紙に対するテキスト領域位置、テキスト領域の幅のアウトライアを判断してもよい。全てのパラメータ又は特性は、処理中に収集されるマルチページ文書の統計的な知識、又は、操作者によって入力され又は自動的に仮想される先験的知識と比較されてよい。
【００６３】
一実施例では、アウトライア検出器は、ページのテキスト領域の幅に関して規則性を仮想することによって、テキスト領域幅のアウトライアを検出することができる。尚、左右のテキスト領域の上部及び／又は底部は同一と仮定されてよく、又は、異なると仮想されて別々に処理されてもよい。テキスト領域幅のアウトライアを検出するために用いられる方法は、次の場合にアウトライアを検出する式により表される。
【００６４】
【数１】
2006054885.tif 000003
【００６５】
ここで、ｐ＝テキスト領域幅、Ｍｐはテキスト領域幅の中央値である。中央値が用いられる理由は、平均値に過大な悪影響を及ぼす非常に大きなアウトライア（例えば、幅ゼロの空ページ）が存在しうるからである。閾値は、テキスト領域幅又は位置の全ての誤りを実質的に検出する実用値を見つけるため操作者により調整されてもよい。通常的な本に対する実際的な例では、閾値１４が良好な結果を与えることが実証されている。
【００６６】
アウトライア関数により検出される考えられる誤りは、ユーザインターフェースを介して人手で調整されるように操作者に対して後に表示される。
【００６７】
ユーザインターフェースは、例えばディスプレイスクリーン上のメニューやツールバーのような、提案される画像を受け入れる又は調整する次の選択肢を有してよい。ユーザは、現に検査されている画像ページの下のボタンの１つを選択することによって各種機能を実行する。即ち、
・向き：本のページ内に水平であるべきラインを描くことによる人手によるデスキュー、又は、９０又は１８０度を超える回転の指示
・紙領域：紙領域を含む長方形のセクション
・紙中央部：本の背の位置の選択
・左ページ：左ページのテキスト領域を含む長方形の選択
・右ページ：右ページのテキスト領域を含む長方形の選択
・正しくないと疑われている次の走査にいくこと、又は、誤り検出が用いられない場合にただ単にラインで次の走査にいくこと。
【００６８】
全ての機能は、同一の画像に関して必要に応じて多数回実行されてもよい。出力文書において、操作者が実行するアクションは記録されてもよく、再度見ることが可能となる。従って、アウトライアとしてマークされた走査をスキップすることは、永久的でなく、再スタート時に再度提供されることができる。ユーザが手動のデスキュー処理を行う場合、新しいグレー画像は、別々に記録されてもよい。
【００６９】
最後に、画像ページは、走査画像から切り出され、あらゆるデスキュー処理が考慮される。２連走査画像は、テキスト領域の境界で２つのページ画像に切り分けられ、全ての辺で３５ピクセルが増加される。これは、狭い削り落としを防止するために実行され、画像の文字の部分を喪失することがほとんどなくなる。これは、画像の位置決めに悪影響を及ぼさない。最後に、一連の走査画像の切り出しとしてページ画像を含むファイルが構成される。ファイルは、元のマルチページ文書に対応するページ数及びブックマークを備えてよく、光学式文字認識（ＯＣＲ）や適応的な背景補正のような光学処理に対して用いられてよい。
【００７０】
マルチページ文書を処理する更なる方法は、生成される一連のページ画像において論理構造を生成することを含む。基本的には、単一のマルチページ文書の走査画像の一セットは、例えば単一の文書ファイルであってよい、ページ画像の複合セットへと変換される。しかし、元のマルチページ文書は、通常的には、章や段落のような論理構造を有し、又は、複数の付録を含んでよい。元の構造は、複合セットにおける類似の構造に変換され、即ち、マルチページ文書のページ範囲に対応するセットの論理部分を指示する。尚、元の構造は、例えばページの番号付けから、又は、太くて大きいフォントでの章のタイトルのようなグラフィックレイアウト特徴から、自動的に検出されてよい。
【００７１】
論理構造を指示するために、スキャナ又は処理ユニットは、走査される文書における論理構造を生成するための選択肢を操作者に提供してよい。したがって、本方法は、一連のページ画像に割り当てられるべき構造を指示するためのコマンドを操作者から受けることを含む。コマンドは、マルチページ文書の操作中に与えられてよい。走査画像の各々のサブセットがページ画像の複合セットの論理部分を構成することを指示するため、マルチページ文書の一部の走査前及び／又は後に特別なボタンが押されてもよい。例えばインポートセット番号のようなブックマークの名前が、自動的に生成されてよく、その後、開始及び最終ページ番号が生成されてよい。したがって、変換される一連のページ画像内に論理構造を生成しつつ、構造化マルチページ文書を効率的に走査することができる。
【００７２】
図７は、多数のボタン又はキー７２、及び、操作者に可視データを提供するためのディスプレイスクリーン７１を有する。ディスプレイ７１は、走査から得られるページ画像、又は、上述の如く提案のページ画像の品質を判断及び調整するために十分な大きさの少なくとも画像の一部を、表示するために十分なサイズ及び解像度である。
【００７３】
特に、ユーザインターフェース７０は、ＩＭＰＯＲＴボタン７４とＳＴＡＲＴボタン７３を有する。ＳＴＡＲＴボタンは、ＯＰＥＮ／ＣＬＯＳＥボタンと名づけられてよい。ＳＴＡＲＴボタンは、走査動作を開閉し、ＩＭＰＯＲＴボタン７４は、マルチページ分の部分の走査画像を既存のセットの後尾に付加する。各々の部分の元は、文書自動送り装置（ＡＤＦ）にルーズシートとして配置されてよく、又は、操作者が本若しくは書類の連続するページをプラテン上に配置することによって人手により供給されてもよい。かかる部分を走査した後、操作者は、ＩＭＰＯＲＴボタンを押し、更なる部分を後尾に付け、同時に、ちょうど閉じられた部分に対してブックマークを文書ファイル内に定義する。最後に、処理は、ＳＴＡＲＴボタンを押すことにより終了されてよく、また、文書のデジタルバージョンの論理構造が完成される。
【００７４】
また、ユーザインターフェースは、論理部分が２連走査画像の左又は右ページで開始又は終了することを指示する特別ボタン又はメニュー機能を備えてもよい。
【００７５】
本発明は、本を走査する実施例により説明されてきたが、本発明は如何なるマルチページ文書処理に適していることは注意されるべきである。更に、会社環境に次いで、文書処理は、消費者の家庭又は公衆の商業サービスにおいてのように、如何なる規模であってもよい。また、生成された一連のページ画像内の論理構造の生成方法は、別々に適用されてもよい。尚、この文書において、動詞‘含む’及びその変形は、他の要素やステップの存在を排除するものでなく、単数表現は、複数の要素の存在を排除するものでなく、如何なる参照符号もクレームの範囲を制限するものでなく、本発明及び各ユニット又は手段は、適切なハードウェア及び／又はソフトウェアにより実現されてよく、幾つかの‘ユニット’又は‘手段’は、同一のアイテムにより表現されてもよい。更に、本発明の範囲は、実施例に限定されるものでなく、本発明は、上述の各それぞれの新規な特徴及びその組み合わせに存ずる。
【図面の簡単な説明】
【００７６】
【図１】文書を処理するための装置を示す図である。
【図２】マルチページ文書の走査方法を示す図である。
【図３】本の走査画像の一例を示す図である。
【図４】向きを検出するためのテキストの特性を示す図である。
【図５】文書処理システムの構成部分の図である。
【図６】文字領域位置を検出する結果を示す図である。
【図７】ユーザインターフェースを示す図である。
【符号の説明】
【００７７】
６５，６６    ページ画像
６７    走査画像
【図１】
2006054885.tif 000004
【図２】
2006054885.tif 000005
【図３】
2006054885.tif 000006
【図４】
2006054885.tif 000007
【図５】
2006054885.tif 000008
【図６】
2006054885.tif 000009
【図７】
2006054885.tif 000010